(57)【要約】      （修正有）【課題】構造を単純化し、組立作業を素人でも楽に行えるように簡素化した竿等の支持装置を提供する。【解決手段】支持具１に、下端に受具を有する支柱２の上端を取り付けて成る竿等の支持装置において、支持具１は、下部に開口９を有する受け部材８と、同部材８の上面に固定される押さえ部材６と、上端に球形頭部７有する支柱２とからなり、支柱２の球形頭部７は受け部材８と押さえ部材６によって挟まれて可動状に支持され、支柱２が受け部材８の開口９から下方に伸び、かつ支持具１に対して角度を変えることができる竿等の支持装置である。【選択図】図３
0003140455.tif 000002
【実用新案登録請求の範囲】
【請求項１】
支持具（１）に、下端に受具（３）を有する支柱（２）の上端を取り付けてなる竿等の支持装置において、
支持具（１）は、下部に開口（９）を有する受け部材（８）と、同部材（８）の上面に固定される押さえ部材（６）と、上端に球形頭部（７）有する支柱（２）とからなり、
支柱（２）の直径は開口（９）の直径より小さく、
支柱（２）の球形頭部（７）は受け部材（８）と押さえ部材（６）によって挟まれて可動状に支持され、
支柱（２）は受け部材（８）の開口（９）を経て下方に伸び、かつ支持具（１）に対して角度を変えることができる
竿等の支持装置。
【考案の詳細な説明】
【技術分野】
【０００１】
本考案は、例えば、ベランダ下の天井面、テラス等に取り付けて物干竿等を支持する支持装置に関するものであり、一般家庭で素人でも楽に組み立てることができるように工夫したものである。
【背景技術】
【０００２】
従来より、ベランダ下の天井面に取り付ける物干竿受具は種々のものが提案されている。例えば特許文献１には、上押え具と下押え具をねじで合体した支持具を、基板にねじで弾性体を間に入れて合体し、さらに、全体を被覆するカバーを被着し、支柱の上端に金属製の球体で球面部を有する固定部を固着し、下端に、竿受部を設けた金属製の受具を固着し、固定部を上押え具と下押え具で挟んで固定してなる物干竿等の支持装置が提案されている。
【特許文献１】特開平９−２８５６９３号公報
【考案の開示】
【考案が解決しようとする課題】
【０００３】
上記従来技術においては、構造がかなり複雑であるため、組立作業が面倒なものとなり、組立が困難であった。
【課題を解決するための手段】
【０００４】
本考案は、上記問題を解決するために、構造を単純化し、組立作業を素人でも楽に行えるように簡素化したものである。
【０００５】
すなわち本考案による竿等の支持装置は、
支持具（１）に、下端に受具（３）を有する支柱（２）の上端を取り付けてなる竿等の支持装置において、
支持具（１）は、下部に開口（９）を有する受け部材（８）と、同部材（８）の上面に固定される押さえ部材（６）と、上端に球形頭部（７）有する支柱（２）とからなり、
支柱（２）の直径は開口（９）の直径より小さく、
支柱（２）の球形頭部（７）は受け部材（８）と押さえ部材（６）によって挟まれて可動状に支持され、
支柱（２）は受け部材（８）の開口（９）を経て下方に伸び、かつ支持具（１）に対して角度を変えることができる
ものである。
【作用】
【０００６】
支柱（２）の球形頭部（７）は、これを受け部材（８）と押さえ部材（６）によって挟んで両部材（８）（６）を固定するだけでこれらの部材（８）（６）間に可動状に支持されるので、組立作業が極めて楽であり、一般家庭で素人でも容易に支持装置を組立てることができる。
【考案を実施するための最良の形態】
【０００７】
つぎに、本考案を図面に基づいて具体的に説明する。
【０００８】
実施例１
図１（ａ）（ｂ）は本考案による物干し竿の支持装置全体を示す正面図である。図２は本考案による物干し竿の支持装置の分解状態を示す斜視図である。図３は本考案による物干し竿の支持装置上部の水平取り付け状態を示す垂直断面図である。図４は本考案による物干し竿の支持装置上部の傾斜取り付け状態を示す正面図である。
【０００９】
支持具（１）に、下端に受具（３）を有する支柱（２）の上端が取り付けられている。
【００１０】
支持具（１）は、下部に円形開口（９）を有する受け部材（８）と、同部材（８）の上面に固定される押さえ部材（６）と、上端に球形頭部（７）有する支柱（２）とからなる。受け部材（８）は、方形平板部（８ａ）と、その中央に段部（８ｂ）を介して下方突状に形成された円筒部（８ｃ）とからなり、円筒部（８ｃ）の内面には側部から下部に掛けて凹面状の湾曲面（８ｄ）が形成されている。押さえ部材（６）は、方形平板部（６ａ）とその下面に形成された下方凸部（６ｂ）とからなり、下方凸部（６ｂ）の下面には凹面状の湾曲面（６ｃ）が形成されている。受け部材（８）の凹面状の湾曲面（８ｄ）および押さえ部材（６）の凹面状の湾曲面（６ｃ）は、支柱（２）の球形頭部（７）と同じ曲率半径を有する。
【００１１】
球形頭部（７）は、受け部材（８）の凹面状の湾曲面（８ｄ）に受けられ、押さえ部材（６）の凹面状の湾曲面（６ｃ）で上から押さえられている。押さえ部材（６）は、その平板部（６ａ）の縁部が受け部材（８）の段部（８ｂ）上面に複数のネジ（４）で固定されている。こうして支柱（２）の球形頭部（７）は受け部材（８）と押さえ部材（６）によって挟まれて可動状に支持されている。
【００１２】
支柱（２）の球形頭部（７）は下面に下方突部（７ａ）を有し、支柱（２）の直径は受け部材（８）の円形開口（９）の直径より小さく設定されている。支柱（２）の上端部は円形開口（９）を経て球形頭部（７）の下方突部（７ａ）を嵌め込んで球形頭部（７）に当接している。支柱（２）の上端部と球形頭部（７）の下方突部（７ａ）との嵌合部は、ネジ（１２）で固定されている。こうして、支柱（２）は受け部材（８）の開口（９）から下方に伸び、かつ支持具（１）に対して角度を変えることができるようになっている。
【００１３】
受け部材（８）の方形平板部（８ａ）の上面にはゴム層（５）が設けられている。
【００１４】
支柱（２）の下端には、複数の竿受穴（１１）を有する受具（３）が水平に設けられている。支柱（２）は伸縮タイプであっても良い。
【００１５】
上記構成の物干し竿の支持装置を、例えばベランダ下の水平状の天井面に固定するには、図１（ａ）および図３に示すように、まず球形頭部（７）を、受け部材（８）の凹面状の湾曲面（８ｄ）に受けさせ、その上から押さえ部材（６）の凹面状の湾曲面（６ｃ）で押さえる。次いで、押さえ部材（６）の平板部（６ａ）の縁部を受け部材（８）の段部（８ｂ）上面に複数のネジ（４）で固定する。
【００１６】
次いで、受け部材（８）の方形平板部（８ａ）をゴム層（５）を介して水平天井（１０）にネジで固定する。
【００１７】
最後に、球形頭部（７）の下方突部（７ａ）を受け部材（８）の円形開口（９）から下方へ突出し、下端に受具（３）を有する支柱（２）の上端内に嵌め込み、ネジ（１２）で固定する。こうして、支柱（２）を受け部材（８）の開口（９）から下方に伸び、かつ支持具（１）に対して下方全方向に角度を変えることができるようにする。
【００１８】
上記構成の物干し竿の支持装置を、例えばベランダ下の傾斜状の天井面に固定する場合も、図１（ｂ）および図４に示すように、上述した水平状の天井面の場合と同様に組立作業を行えばよい。
【図面の簡単な説明】
【００１９】
【図１】図１（ａ）（ｂ）は本考案による物干し竿の支持装置全体を示す正面図である。
【図２】図２は本考案による物干し竿の支持装置の分解状態を示す斜視図である。
【図３】図３は本考案による物干し竿の支持装置上部の水平取り付け状態を示す垂直断面図である。
【図４】図４は本考案による物干し竿の支持装置上部の傾斜取り付け状態を示す正面図である。
【符号の説明】
【００２０】
（１）  支持具
（２）  支柱
（３）  受具
（４）（１２）  ネジ
（５）  ゴム層
（６）  押さえ部材
（６ａ）  方形平板部
（６ｂ）  下方凸部
（６ｃ）  湾曲面
（７）  球形頭部
（７ａ）  下方突部
（８）  受け部材
（８ａ）  方形平板部
（８ｂ）  段部
（８ｃ）  円筒部
（８ｄ）  湾曲面
（９）  円形開口
（１１）  竿受穴
【図１】
0003140455.tif 000003
【図２】
0003140455.tif 000004
【図３】
0003140455.tif 000005
【図４】
0003140455.tif 000006